(57)【要約】【課題】開閉爪を備える回転シリンダーから成る脱毛手段を備え、石鹸を使用することで、泡で毛を起こしつつ、かつ肌面と前記脱毛手段との摩擦を下げ、安全に脱毛を行えるようにした脱毛装置において、均一な泡の量を維持し、脱毛機能を安定して発揮させる。【解決手段】モータを内蔵した防水構造の本体ケーシング２に、前記モータによって駆動される回転シリンダー４を有する脱毛ヘッド３が取り付けられて成る脱毛装置１において、前記脱毛ヘッド３に装着されるヘッドフレーム４１に、該脱毛ヘッド３の移動方向下流側に泡溜め板４６を、上流側にワイパー４７を設ける。したがって、前記脱毛手段の脱毛動作によって、泡が広がろう（飛散しよう）としても、前記泡溜め板４６がそれを堰き止めるので、常に均一な泡の量を維持し、前記脱毛手段による機能を安定して発揮させ続けることができる。また、余剰となった泡は、開口部４６ａから排出される。【選択図】図１
2008125878.tif 000002
【特許請求の範囲】
【請求項１】
駆動源を内蔵した防水構造の本体ケーシングに、前記駆動源によって駆動され、毛を引き抜くための脱毛手段を有する脱毛ヘッドが取り付けられ、石鹸を使用して脱毛を行うようにした脱毛装置において、
前記脱毛ヘッドは、前記脱毛手段を外囲し、内部に前記石鹸の泡を貯留することができる泡保持部材をさらに備えることを特徴とする脱毛装置。
【請求項２】
前記脱毛手段が開閉爪を備える回転シリンダーから成り、前記泡保持部材は、前記回転シリンダーの回転方向の下流側において、前記肌面に対して前記回転シリンダーよりも後退位置に配置される泡溜め板から成ることを特徴とする請求項１記載の脱毛装置。
【請求項３】
前記泡溜め板は、開口部を有することを特徴とする請求項２記載の脱毛装置。
【請求項４】
前記脱毛手段が開閉爪を備える回転シリンダーから成り、前記泡保持部材は、前記回転シリンダーの回転方向の上流側において、前記肌面に対して前記回転シリンダーと同じまたは突出位置に配置されるワイパーから成ることを特徴とする請求項１〜３のいずれか１項に記載の脱毛装置。
【請求項５】
前記ワイパーは、前記回転シリンダーと平行なローラと、それを肌面方向に押し出すリンク機構とを備えて構成されることを特徴とする請求項４記載の脱毛装置。
【発明の詳細な説明】
【技術分野】
【０００１】
本発明は、石鹸を使用して脱毛を行うようにした脱毛装置に関する。
【背景技術】
【０００２】
従来から、使用者が把持し、駆動源を内蔵した防水構造の本体ケーシングに、毛を引き抜くための脱毛手段を有する脱毛ヘッドが取り付けられ、前記脱毛手段が回転シリンダーとその外周面に設けられた開閉爪とを備えて成り、前記駆動源で回転シリンダーが回転駆動されると、前記開閉爪が連動して開閉することで、前記開閉爪が毛を掴んで引き抜くようにした脱毛装置が、本件出願人が先に提案した特許文献１で知られている。そして、脱毛の際に石鹸を使用することで、泡で毛を起こしつつ、かつ肌面と前記脱毛手段との摩擦を下げ、安全に脱毛を行えるようになっている。このため、前記のように本体ケーシングは防水構造となっている。
【特許文献１】特開２００１−１４９１３５号公報
【発明の開示】
【発明が解決しようとする課題】
【０００３】
上述の従来技術では、石鹸を使用して脱毛処理をする際に、前記開閉爪を備える回転シリンダーの回転によって、石鹸の泡が広がり（飛散し）、肌面の泡が不均一となって、前記泡で毛を起こすという機能が安定して発揮されず、また泡の状態によっては肌面と脱毛手段との摩擦も変わり（脱毛ヘッドの肌面に対する追従性が悪くなり）、脱毛効率も安定して良いものとすることができないという問題がある。
【０００４】
本発明の目的は、石鹸を使用して脱毛処理をする際に、均一な泡の量を維持し、脱毛手段による機能を安定して発揮させることができる脱毛装置を提供することである。
【課題を解決するための手段】
【０００５】
本発明の脱毛装置は、駆動源を内蔵した防水構造の本体ケーシングに、前記駆動源によって駆動され、毛を引き抜くための脱毛手段を有する脱毛ヘッドが取り付けられ、石鹸を使用して脱毛を行うようにした脱毛装置において、前記脱毛ヘッドは、前記脱毛手段を外囲し、内部に前記石鹸の泡を貯留することができる泡保持部材をさらに備えることを特徴とする。
【０００６】
上記の構成によれば、使用者が把持し、駆動源を内蔵した防水構造の本体ケーシングに、前記駆動源によって駆動され、毛を引き抜くための脱毛手段を有する脱毛ヘッドが取り付けられ、石鹸を使用して脱毛を行うことで、泡で毛を起こしつつ、かつ肌面と、開閉爪を備える回転シリンダーなどから成る前記脱毛手段との摩擦を下げ、安全に脱毛を行えるようにした脱毛装置において、前記脱毛ヘッドに泡保持部材を設け、その泡保持部材を構成する壁が、前記脱毛手段を外囲することで、内部に泡溜めを行う。
【０００７】
したがって、前記開閉爪を備える回転シリンダーの回転等の前記脱毛手段の脱毛動作によって、泡が広がろう（飛散しよう）としても、前記泡保持部材がそれを堰き止めるので、常に均一な泡の量を維持し、前記脱毛手段による機能を安定して発揮させ続けることができる。
【０００８】
また、本発明の脱毛装置では、前記脱毛手段が開閉爪を備える回転シリンダーから成り、前記泡保持部材は、前記回転シリンダーの回転方向の下流側において、前記肌面に対して前記回転シリンダーよりも後退位置に配置される泡溜め板から成ることを特徴とする。
【０００９】
上記の構成によれば、前記脱毛手段が開閉爪を備える回転シリンダーから成り、回転するその回転シリンダーによって押し出された泡は該回転シリンダーの回転方向の下流側に溜ることになるので、その位置に泡溜め板を配置する。
【００１０】
したがって、前記泡溜めを効率的に行うことができる。また、前記泡溜め板を前記肌面に対して回転シリンダーよりも後退位置に配置することで、脱毛ヘッドの移動に伴い肌面から新たに供給されてくる泡を取込んでゆくこともできる。
【００１１】
さらにまた、本発明の脱毛装置では、前記泡溜め板は、開口部を有することを特徴とする。
【００１２】
上記の構成によれば、脱毛ヘッドの移動に伴って肌面から過剰に供給されてしまった泡を前記開口部から排出することができる。
【００１３】
したがって、泡の量をより一層均一に維持し、脱毛機能をより安定させることができる。
【００１４】
また、本発明の脱毛装置では、前記脱毛手段が開閉爪を備える回転シリンダーから成り、前記泡保持部材は、前記回転シリンダーの回転方向の上流側において、前記肌面に対して前記回転シリンダーと同じまたは突出位置に配置されるワイパーから成ることを特徴とする。
【００１５】
上記の構成によれば、前記脱毛手段が開閉爪を備える回転シリンダーから成り、回転するその回転シリンダーの回転方向の上流側に残った泡をワイパーによって掻き取る。そして、そのワイパーを回転シリンダーと同じまたは突出位置に配置する。
【００１６】
したがって、泡を無駄なく使用することができる。また、剃刀で剃った場合と同様に、泡を拭き取る手間が軽減されて使い勝手が良くなるとともに、仕上がりをチェックできる。
【００１７】
さらにまた、本発明の脱毛装置では、前記ワイパーは、前記回転シリンダーと平行なローラと、それを肌面方向に押し出すリンク機構とを備えて構成されることを特徴とする。
【００１８】
上記の構成によれば、ワイパーの肌面に対する密着性が上がり、より確実に泡を掻き取ることができる。
【発明の効果】
【００１９】
本発明の脱毛装置は、以上のように、使用者が把持し、駆動源を内蔵した防水構造の本体ケーシングに、前記駆動源によって駆動され、毛を引き抜くための脱毛手段を有する脱毛ヘッドが取り付けられ、石鹸を使用して脱毛を行うことで、泡で毛を起こしつつ、かつ肌面と、開閉爪を備える回転シリンダーなどから成る前記脱毛手段との摩擦を下げ、安全に脱毛を行えるようにした脱毛装置において、前記脱毛ヘッドに泡保持部材を設け、その泡保持部材を構成する壁が、前記脱毛手段を外囲することで、内部に泡溜めを行う。
【００２０】
それゆえ、前記開閉爪を備える回転シリンダーの回転等の前記脱毛手段の脱毛動作によって、泡が広がろう（飛散しよう）としても、前記泡保持部材がそれを堰き止めるので、常に均一な泡の量を維持し、前記脱毛手段による機能を安定して発揮させ続けることができる。
【００２１】
また、本発明の脱毛装置は、以上のように、前記脱毛手段が開閉爪を備える回転シリンダーから成り、回転するその回転シリンダーによって押し出された泡は該回転シリンダーの回転方向の下流側に溜ることになるので、その位置に泡溜め板を配置する。
【００２２】
それゆえ、前記泡溜めを効率的に行うことができる。また、前記泡溜め板を前記肌面に対して回転シリンダーよりも後退位置に配置することで、脱毛ヘッドの移動に伴い肌面から新たに供給されてくる泡を取込んでゆくこともできる。
【００２３】
さらにまた、本発明の脱毛装置は、以上のように、前記泡溜め板に開口部を設ける。
【００２４】
それゆえ、脱毛ヘッドの移動に伴って肌面から過剰に供給されてしまった泡を前記開口部から排出することができ、泡の量をより一層均一に維持し、脱毛機能をより安定させることができる。
【００２５】
また、本発明の脱毛装置は、以上のように、前記脱毛手段が開閉爪を備える回転シリンダーから成り、回転するその回転シリンダーに対して、脱毛処理が済んだ該回転シリンダーの回転方向の上流側に残った泡をワイパーによって掻き取るようにし、さらにそのワイパーを回転シリンダーと同じまたは突出位置に配置する。
【００２６】
それゆえ、泡を無駄なく使用することができる。また、剃刀で剃った場合と同様に、泡を拭き取る手間が軽減されて使い勝手が良くなるとともに、仕上がりをチェックできる。
【００２７】
さらにまた、本発明の脱毛装置は、以上のように、前記ワイパーを、前記回転シリンダーと平行なローラと、それを肌面方向に押し出すリンク機構とを備えて構成する。
【００２８】
それゆえ、ワイパーの肌面に対する密着性が上がり、より確実に泡を掻き取ることができる。
【発明を実施するための最良の形態】
【００２９】
図１は本発明の実施の一形態に係る脱毛装置１の外観構造を示す斜視図であり、図２は図１の切断面線II−IIから見た断面図であり、図３は図１の切断面線III−IIIから見た断面図であり、図４は図１の切断面線IV−IVから見た断面図である。この脱毛装置１は、大略的に、使用者が把持できる防水構造の本体ケーシング２の上部に、脱毛手段を有する脱毛ヘッド３を着脱自在に備えて構成される。
【００３０】
前記脱毛手段は、回転シリンダー４の外周面に開閉爪が設けられて成り、前記本体ケーシング２に内蔵され、駆動源であるモータ５によって前記回転シリンダー４が回転駆動されることで、前記開閉爪が毛を掴んで肌面から引き抜くようになっている。詳しくは、前記開閉爪は、対を成す固定爪と可動爪とを備えて成り、回転シリンダー４の回転に伴って、その回転シリンダー４内を挿通したレバーが該回転シリンダー４の軸方向に変位し、前記可動爪を固定爪に対して近接／離反変位させることで、毛の挟持／離脱が可能となっている。このような脱毛のメカニズムおよび動作のさらに詳細は、前記特許文献１や、本件出願人が先に提案した特願２００６−８９５７６号などに示されている。
【００３１】
前記本体ケーシング２は、上部側が開放した袋状に形成され、その内部には前記モータ５や充電池６が搭載された基台７が収納され、その基台７の上面板７ａの周囲がＯリング８によって本体ケーシング２の内周面と水密に封止されている。また、モータ５の出力端には、断面Ｍ字状の防水部材９が嵌め込まれ、その防水部材９から前記上面板７ａに形成された軸孔７ｂを通して、出力軸５ａが脱毛ヘッド３側に取出される。さらにまた、前記基台７の下部側にはプラグ端子ピン１０が立設されたプラグ基台１１が取付けられており、前記本体ケーシング２の下部側において、前記プラグ端子ピン１０回りは、Ｏリング１２によって水密に封止されている。こうして、本体ケーシング２は前記防水構造に構成される。
【００３２】
前記脱毛ヘッド３は、前記本体ケーシング２の上部側の開口部分に嵌り込む基端部２１と、それによってフロート支持されるヘッド部２２とを備えて構成される。前記基端部２１の下端には一対のフック２３が設けられており、使用者によるリリース釦２４の操作によって、該脱毛ヘッド３が本体ケーシング２から取外し可能となっている。
【００３３】
前記基端部２１からヘッド部２２へは、駆動伝達機構を構成する歯車２５〜３１が設けられている。先ず該脱毛ヘッド３が本体ケーシング２へ装着されると、前記歯車２５の筒状に形成されるカプリング部２５ａ内に前記モータ５の出力軸５ａが嵌り込み、動力の入力端となる。前記カプリング部２５ａに連なる歯車部２５ｂは、歯車２６の歯車部２６ｂに噛合し、それに連なる筒部２６ｂの軸方向端面に形成された歯車が歯車２７に噛合することで、モータ５からの図２において上下方向に延びる軸線回りの回転が、水平方向に延びる軸線回りの回転に変換される。前記歯車２７の回転は、歯車２８，２９，３０によって適宜減速され、前後一対の歯車３１から前記回転シリンダー４に与えられて、該回転シリンダー４は共に図４において反時計回りに回転する。
【００３４】
前記ヘッド部２２の下端側は図４で示すように左右軸線回りの円弧状に形成される凸曲面となっており、基端部２１の上端側は前記左右軸線回りの円弧状に形成される凹曲面となっており、さらに前後一対の前記回転シリンダー４の中間位置には、揺動支点３２が設けられ、その揺動支点３２を中心として、図４において矢符３３で示すように、ヘッド部２２は基端部２１に前後揺動可能にフロート支持されている。さらに、前記ヘッド部２２の下端側には、該ヘッド部２２の前記前後方向の揺動をセンター位置に復帰させるためのコイルばね３４が設けられている。
【００３５】
これによって、前記回転シリンダー４を回転させつつ、ヘッド部２２を使用者の肌面３５に押付けると、前記ヘッド部２２の揺動によって、回転シリンダー４は肌面３５の起伏に追従し、前記開閉爪は、常に肌面３５に近い位置で毛を掴み、すなわち毛の毛根に近い所を掴み、脱毛処理に伴う刺激を低減することができるとともに、短い毛の処理も可能となっている。
【００３６】
前記脱毛ヘッド３の上部には、図５および図６で示すようなヘッドフレーム４１が装着される。ヘッドフレーム４１は、前記回転シリンダー４を外囲する枠体４２と、その枠体４２に嵌め込まれ、前記２つの回転シリンダー４の外周面に沿うように複数本架設され、前記肌面３５と回転シリンダー４との間に所定の間隔を保持するワイヤー４３と、前記２つの回転シリンダー４間の凹所を埋め、該ヘッドフレーム４１の肌面３５に対する滑りを良くするためのコーム４４と、矢符４５で示す該脱毛ヘッド３の移動方向下流側に設けられる泡溜め板４６と、上流側に設けられるワイパー４７とを備えて構成される。
【００３７】
そして、注目すべきは、本実施の形態では、前記枠体４２の両側部４２ａ，４２ｂならびに泡溜め板４６およびワイパー４７は、脱毛手段である前記開閉爪を有する前記回転シリンダー４を外囲し、内部に前記石鹸の泡を貯留することができる泡保持部材を構成することである。
【００３８】
したがって、泡で毛を起こしつつ、かつ肌面３５と、開閉爪を備える回転シリンダー４から成る前記脱毛手段との摩擦を下げ、安全に脱毛を行えるように石鹸を使用して脱毛を行うにあたって、前記脱毛手段の脱毛動作（前記回転シリンダー４の回転）によって、泡が広がろう（飛散しよう）としても、前記泡保持部材がそれを堰き止めるので、常に均一な泡の量を維持し、前記脱毛手段による機能を安定して発揮させ続けることができる。
【００３９】
また、上述のように脱毛手段が開閉爪を備える回転シリンダー４から成り、回転するその回転シリンダー４の回転方向下流側（好ましくは、起毛のために肌面３５が前記回転シリンダー４の回転方向と相対的に反対方向に移動するように前記脱毛ヘッド３が矢符４５方向に移動される場合、その脱毛ヘッド３の移動方向の下流側）に、回転シリンダー４によって押し出された泡は該回転シリンダー４の回転方向の下流側に溜ることになるので、本実施の形態では、その位置に前記泡溜め板４６を配置する。これによって、前記泡溜めを効率的に行うことができる。さらにまた、前記泡溜め板４６を前記肌面３５に対して回転シリンダー４よりも後退位置に配置する。これによって、脱毛ヘッド３の移動に伴い肌面３５から新たに供給されてくる泡を取込んでゆくこともできる。
【００４０】
なお、肌面３５から新たな泡を取込むために、上述のように泡溜め板４６を肌面３５に対して回転シリンダー４よりも後退位置に配置するにあたって、その端面４６ｂが平坦で、全長に亘って回転シリンダー４よりも後退位置に配置する必要はなく、図５で示すように、波形に形成して、その谷の部分で泡を取込むようにしてもよい。
【００４１】
また、本実施の形態では、前記泡溜め板４６に、１または複数の開口部４６ａを形成しておくことで、脱毛ヘッド３の移動に伴って肌面３５から過剰に供給されてしまった泡を該開口部４６ａから排出することができる。したがって、泡の量をより一層均一に維持し、脱毛機能をより安定させることができる。
【００４２】
さらにまた、本実施の形態では、上述のように脱毛手段が開閉爪を備える回転シリンダー４から成り、回転するその回転シリンダー４の回転方向の上流側（好ましくは、起毛のために肌面３５が前記回転シリンダー４の回転方向と相対的に反対方向に移動するように前記脱毛ヘッド３が矢符４５方向に移動される場合、その脱毛ヘッド３の移動方向の上流側）において、前記肌面３５に対して前記回転シリンダー４と同じまたは突出位置に前記ワイパー４７を配置する。したがって、脱毛処理が済んだ回転シリンダー４よりも回転方向の上流側に残った泡を該ワイパー４７によって掻き取り、泡を無駄なく使用することができる。また、剃刀で剃った場合と同様に、泡を拭き取る手間が軽減されて使い勝手が良くなるとともに、仕上がりをチェックできる。
【００４３】
また、本実施の形態では、前記ワイパー４７を、図６で詳しく示すように、前記回転シリンダー４と平行なローラ４７ａと、前記ローラ４７ａを回転自在に枢支する軸４７ｂと、前記軸４７ｂの両端を左右一対の支持片４７ｃによって支持するワイパー基台４７ｄと、前記ワイパー基台４７ｄを枠体４２に対して突出方向に弾発的に付勢する左右一対のばね４７ｅとを備えて構成される。前記ワイパー基台４７ｄには、左右一対の案内突起４７ｆが形成されており、この案内突起４７ｆが前記ワイパー基台４７ｄに形成された案内溝４２ｆに嵌り込むことで、該ワイパー基台４７ｄ、したがってローラ４７ａが枠体４２から肌面３５方向に進退自在となる。そして、前記案内突起４７ｆの受け面４７ｇと案内溝４２ｆの受け面４２ｇとの間に、前記ばね４７ｅが嵌り込むことで、ワイパー基台４７ｄ、したがってローラ４７ａが枠体４２から肌面３５方向に弾発的に付勢される。このとき、前記案内突起４７ｆの受け面４７ｇとは反対側に形成された当接面４７ｈが枠体４２の当接面４２ｈに当接することで、該ワイパー基台４７ｄの枠体４２からの抜け止めが行われている。
【００４４】
このように構成することで、ヘッドフレーム４１が肌面３５に接触していない状態では、図７（ａ）で示すように、ローラ４７ａはばね４７ｅの弾発力によって枠体４２から肌面３５方向に突出し、肌面３５に密着すると、図７（ｂ）で示すように、ローラ４７ａはばね４７ｅの弾発力に抗して枠体４２内に後退する。このようにして、ローラ４７ａの肌面３５に対する密着性が上がり、より確実に泡を掻き取ることができる。
【００４５】
ここで、たとえば特表平−５１０１２７号公報には、脱毛用のローラの両側に肌と接触して空間を形成するようなロッドが設けられているけれども、そのロッドは毛を引抜く際の痛みを和らげるための電流を流す電極であり、本発明の泡溜めのような機能は、記載も示唆もない。
【図面の簡単な説明】
【００４６】
【図１】本発明の実施の一形態に係る脱毛装置の外観構造を示す斜視図である。
【図２】図１の切断面線II−IIから見た断面図である。
【図３】図１の切断面線III−IIIから見た断面図である。
【図４】図１の切断面線IV−IVから見た断面図である。
【図５】ヘッドフレームの斜視図である。
【図６】前記ヘッドフレームにおけるワイパー部分を詳しく示す分解斜視図である。
【図７】前記ワイパーの動作を説明するための断面図である。
【符号の説明】
【００４７】
１    脱毛装置
２    本体ケーシング
３    脱毛ヘッド
４    回転シリンダー
５    モータ
６    充電池
７    基台
２１    基端部
２２    ヘッド部
２３    フック
２４    リリース釦
２５〜３１    歯車
３２    揺動支点
３５    肌面
４１    ヘッドフレーム
４２    枠体
４２ａ，４２ｂ    側部
４２ｆ  案内溝
４３    ワイヤー
４４    コーム
４６    泡溜め板
４６ａ  開口部
４７    ワイパー
４７ａ  ローラ
４７ｂ  軸
４７ｃ  支持片
４７ｄ  ワイパー基台
４７ｅ  ばね
４７ｆ  案内突起
【図１】
2008125878.tif 000003
【図２】
2008125878.tif 000004
【図３】
2008125878.tif 000005
【図４】
2008125878.tif 000006
【図５】
2008125878.tif 000007
【図６】
2008125878.tif 000008
【図７】
2008125878.tif 000009